(57)【要約】      （修正有）【課題】停電時や夜間であっても避難経路を指示することができ、メンテナンスが容易で、美観に優れた避難誘導用カーペットを提供する。【解決手段】避難誘導用カーペット１の表示面の内、指示図柄２以外の領域には、通常のパイル７が配列される。一方、指示図柄２の領域には、発光パイル８が配列される。指示図柄２は暗所で発光し、指示図柄２以外の領域は発光しない。よって、暗所であっても指示図柄２を人々に視認させることができる。【選択図】図１
0003154198.tif 000002
【実用新案登録請求の範囲】
【請求項１】
床に敷設される避難誘導用カーペットであって、
蓄光顔料が付着する蓄光繊維で構成されるパイルが、少なくとも一方の面に、所定のパターンで配列されることにより、避難経路を指示する指示図柄が形成されていることを特徴とする避難誘導用カーペット。
【請求項２】
床に敷き詰められる複数枚のタイルカーペットを有し、
前記複数枚のタイルカーペットの少なくとも一方の面には、前記指示図柄の一部を構成する要素図柄が形成され、
床に敷き詰められた複数枚のタイルカーペットに形成された複数の要素図柄で、前記指示図柄を構成するものである請求項１記載の避難誘導用カーペット。
【請求項３】
前記指示図柄は、蓄光顔料が付着されていない非蓄光繊維で構成されるパイルと、前記蓄光繊維で構成されるパイルとが、前記少なくとも一方の面に配列されることにより形成されるものであり、
前記蓄光繊維の色と、前記非蓄光繊維の色とが、同じ色相である請求項１または２に記載の避難誘導用カーペット。
【考案の詳細な説明】
【技術分野】
【０００１】
本考案は、停電時や夜間であっても避難経路を指示することができ、メンテナンスが容易で、美観に優れた避難誘導用カーペットに関するものである。
【背景技術】
【０００２】
ホテルや旅館、公共施設、ビル内などには、災害時や非常時の停電に備えて安全に出口に誘導するための誘導灯や避難灯が設置されている。これらの誘導灯や避難灯は、停電時には無停電電源で自動的に点灯するようになっているので、施設内の人々を安全に誘導して避難させることができる。このような誘導灯や避難灯は、ランプや無停電電源を設置するための経費が多大であり、常に維持、点検するためのメンテナンスが必要であるという問題点があった。
【０００３】
そこで特許文献１には、電源無しで発光する蓄光剤や蛍光剤を使った発光シートが提案されている。このような発光シートを床面や壁面に貼付することにより、停電時には、電源を用いることなく、避難路の誘導サインなどを発光表示することができる。
【先行技術文献】
【特許文献】
【０００４】
【特許文献１】特開２００４−１６３６２１号公報
【考案の概要】
【考案が解決しようとする課題】
【０００５】
しかしながら、このような発光シートを貼付すると、ホテルや旅館などの施設内の美観や雰囲気が損なわれるという問題点があった。また、廊下など、人の往来が多い床面に貼付した発光シートは、頻繁に踏みつけられ、靴などでこすられるため、剥がれやすく、メンテナンスに手間がかかるという問題点があった。
【０００６】
本考案は、上記問題点を解決するためになされたものであり、停電時や夜間であっても避難経路を指示することができ、メンテナンスが容易で、美観に優れた避難誘導用カーペットを提供することを目的としている。
【課題を解決するための手段】
【０００７】
この目的を達成するために、請求項１記載の避難誘導用カーペットは、床に敷設されるものであって、蓄光顔料が付着する蓄光繊維で構成されるパイルが、少なくとも一方の面に、所定のパターンで配列されることにより、避難経路を指示する指示図柄が形成されている。
【０００８】
請求項２記載の避難誘導用カーペットは、請求項１記載の避難誘導用カーペットにおいて、床に敷き詰められる複数枚のタイルカーペットを有し、前記複数枚のタイルカーペットの少なくとも一方の面には、前記指示図柄の一部を構成する要素図柄が形成され、床に敷き詰められた複数枚のタイルカーペットに形成された複数の要素図柄で、前記指示図柄を構成するものである。
【０００９】
請求項３記載の避難誘導用カーペットは、請求項１または２に記載の避難誘導用カーペットにおいて、前記指示図柄は、蓄光顔料が付着されていない非蓄光繊維で構成されるパイルと、前記蓄光繊維で構成されるパイルとが、前記少なくとも一方の面に配列されることにより形成されるものであり、前記蓄光繊維の色と、前記非蓄光繊維の色とが、同じ色相である。
【考案の効果】
【００１０】
蓄光顔料は、自然光、人工の光などから光を吸収し、エネルギーとして蓄え、暗いときに光として放出する特性を有する。請求項１記載の避難誘導用カーペットによれば、暗所にて発光する蓄光顔料が付着する蓄光繊維で構成されるパイルが、所定のパターンで配列されることにより、指示図柄が形成されているので、暗所であっても指示図柄を人々に視認させることができる。その結果、停電時や夜間であっても、人々に避難経路を指示することができるという効果がある。また、蓄光顔料の発光には電源が不要であるため、断線や故障の有無を定期的に点検する作業が不要であり、メンテナンスが容易という効果がある。また、カーペットのパイルにより指示図柄が形成されているので、発光テープを床面に貼付する場合に比較して耐久性があり、メンテナンスが容易で、且つ、美観に優れているという効果がある。
【００１１】
請求項２に記載の避難誘導用カーペットによれば、請求項１記載の避難誘導用カーペットの奏する効果に加え、床に敷き詰められた複数枚のタイルカーペットに形成された複数の要素図柄で、指示図柄が構成されるので、対象となる施設の間取りや避難口の配置に合わせ、タイルカーペットを適宜組み合わせ配置すればよく、各施設に合わせてオーダーメードで作製する場合に比較して、避難誘導用カーペットを低コストで提供できるという効果がある。
【００１２】
請求項３記載の避難誘導用カーペットによれば、請求項１または２に記載の避難誘導用カーペットの奏する効果に加え、蓄光繊維の色と非蓄光繊維の色とが、同じ色相であるので、指示図柄が発光していないときには、指示図柄が目立ちにくく、施設内の美観を損ない難いという効果がある。
【００１３】
ここで、「同じ色相である」とは、各色を、マンセル表色系の１０色相（赤、黄赤、黄、黄緑、緑、青緑、青、青紫、紫、赤紫）のいずれかに分類する場合に、両者が同一の色相に分類されるという程度に同じ色相であることを意味している。
【図面の簡単な説明】
【００１４】
【図１】（ａ）は、本考案の実施形態である避難誘導用カーペットの上面図であり、（ｂ）は、（ａ）に示す避難誘導用カーペットのIｂ-Iｂ視断面の一部を拡大して示す断面図である。
【図２】避難誘導用カーペットを構成するタイルカーペットの上面視図である。
【考案を実施するための形態】
【００１５】
以下、本考案の好ましい実施形態について、添付図面を参照して説明する。図１（ａ）は、本考案の実施形態である避難誘導用カーペット１の上面図である。避難誘導用カーペット１は、ホテルや旅館、オフィスなどの各種施設の床に敷設されるカーペットであって、避難経路を指示する指示図柄２が形成されている。以下の説明では、指示図柄２が形成された面を、避難誘導用カーペット１の表示面と称する。避難誘導用カーペット１は、施設内の避難経路において、表示面を上に向けて敷設される。そして、暗所において発光する指示図柄２により、停電時や夜間において、人々に避難経路を指示することができる。
【００１６】
避難誘導用カーペット１は、複数枚のタイルカーペット３からなる。各タイルカーペット３は、上面から視て正方形状であって、隣接するタイルカーペット３の辺同士が接するように床に敷き詰められる。避難誘導用カーペット１の表示面を構成するタイルカーペット３の上面には、指示図柄２の一部を構成する要素図柄４が形成される。よって、要素図柄４に合わせた適切な配置でタイルカーペット３を組み合わせ、床に敷き詰めると、各タイルカーペット３に形成された複数の要素図柄４の集合により、施設の避難口を指し示す矢印形状の指示図柄２を構成することができる。
【００１７】
図１（ｂ）は、（ａ）に示す避難誘導用カーペット１のIｂ-Iｂ視断面の一部を拡大して示す断面図である。図１（ｂ）に示すように、避難誘導用カーペット１は、基布６に、パイル７，８を配列し、下面にはゴム層９が形成されている。なお、図１（ｂ）においては、各構成要素の大小関係は、必ずしも正確には図示していない。
【００１８】
基布６としては、合繊不織布または平織物が使用されており、その素材はポリプロピレンあるいはポリエステルの合成繊維であるが、ウール等の天然繊維でも可能である。ゴム層９は天然ゴムあるいは合成ゴムが用いられている。
【００１９】
パイル７，８は、タフト機でタフティングすることにより基布６に刺繍され、配列される。本実施形態では、パイル７，８は、ウール、アクリル、ポリエステル、ナイロンあるいはポリプロピレンなど、一般的なカーペットに使用される各種繊維を素材として構成した撚り糸で構成されるものとして説明する。ただし、通常のパイル７は、蓄光顔料８ａが付着されていない繊維（非蓄光繊維）で構成されるのに対し、発光パイル８は、蓄光顔料８ａが付着する繊維（蓄光繊維）で構成される点において両者は相違している。発光パイル８は、例えば、蓄光顔料８ａを含有するバインダを、非蓄光繊維の表面にコーティングすることにより作製できる。
【００２０】
蓄光顔料８ａは、酸化アルミニウムなどの酸化物を母体とし、これに希土類元素などを添加したもので構成される顔料であって、自然光や人工の光などを蓄光して、暗いときに光として放出する特性を有する。
【００２１】
通常のパイル７と発光パイル８とが、避難誘導用カーペット１の表示面に所定のパターンで配列されることにより、指示図柄２が形成される。具体的には、避難誘導用カーペット１の表示面の内、指示図柄２以外の領域には、通常のパイル７が配列される。一方、指示図柄２の領域には、発光パイル８が配列される。このようにすれば、避難誘導用カーペット１の表示面のうち、指示図柄２以外の領域は暗所において発光しないが、指示図柄２は暗所で発光する。よって、暗所であっても指示図柄２を人々に視認させることができ、その結果、停電時や夜間であっても、人々に避難経路を指示することができる。
【００２２】
また、蓄光顔料８ａの発光には電源が不要であるため、断線や故障の有無を定期的に点検する作業が不要であり、メンテナンスが容易である。また、カーペットのパイル７，８により指示図柄２が形成されているので、発光テープを床面に貼付する場合に比較して耐久性があり、メンテナンスが容易で、且つ、美観に優れている。
【００２３】
なお、各発光パイル８を、その先端をカットして一本一本を独立させたカットタイプのパイルとしても良いが、図１（ｂ）に示すように発光パイル８をループ状とすれば、より高い発光機能を発揮させることができる。コーティングにより蓄光顔料８ａを付着させる場合、蓄光顔料８ａのコーティングが繊維内部まで及ばず、カットされたパイル断面では、蓄光性が劣るおそれがあるからである。発光パイル８をループ状とすることにより、蓄光顔料８ａが十分に付着した発光パイル８表面で、避難誘導用カーペット１の表示面を覆うことができる。
【００２４】
ここで、図１（ａ）では、指示図柄２を分かりやすく示すために、指示図柄２の領域にハッチングを付すことにより、指示図柄２の領域と指示図柄２以外の領域とを明確に区別して図示している。しかしながら、通常のパイル７を構成する非蓄光繊維の色と、発光パイル８を構成する蓄光繊維の色とが、同じ色相となるように各繊維色を選択しても良い。このようにすれば、指示図柄２と、指示図柄２以外の領域とを同じ色相の色とすることができるので、明るいとき、すなわち、指示図柄２が発光していないときには、指示図柄２が目立ちにくく、施設内の美観を損ない難い。
【００２５】
また、蓄光顔料８ａをコーティングするためのバインダの種類や量は、発光パイル８の素材となる繊維の種類や、蓄光顔料８ａの種類、機能の効果目標に応じて適宜選択され得る。例えば、発光パイル８がポリエステル繊維であって、蓄光顔料８ａが２０μｍから３０μｍの耐水性蓄光顔料であり、可能な限り高い効果を求める場合は、バインダとしては、透明度が高いアクリル樹脂が好適であり、水を媒体として粘度調整を行い一定の厚みを得る。
【００２６】
図２は、避難誘導用カーペット１を構成するタイルカーペット３を分離して図示する上面視図である。タイルカーペット３ａ，３ｂの上面には、指示図柄２の一部を構成する要素図柄４が形成される。タイルカーペット３ａは、略全面に発光パイル８が配列される。すなわち、略全面が要素図柄４を形成する。このタイルカーペット３ａを一列に並べることにより、指示図柄２が示す矢印形状の線分部分を形成することができる。
【００２７】
タイルカーペット３ｂには、発光パイル８により形成される要素図柄４が三角形のパターンをなすように、通常のパイル７と発光パイル８とが配列される。これらのタイルカーペット３ｂを組み合わせて配置することにより、指示図柄２が示す矢印形状の矢尻部分が構成される。
【００２８】
タイルカーペット３ｃは、略全面に通常のパイル７が配列されている。タイルカーペット３ｃを敷き詰めることにより、指示図柄２以外の領域を形成できる。
【００２９】
このように、避難誘導用カーペット１によれば、複数枚のタイルカーペット３に形成された複数の要素図柄４で、指示図柄２を構成するので、対象となる施設の間取りや避難口の配置に合わせ、タイルカーペット３を適宜組み合わせ配置すればよく、各施設に合わせてオーダーメードで作製する場合に比較して、避難誘導用カーペット１を低コストで提供できる。例えば、避難誘導用カーペット１を廊下に敷設する場合は、略全面が要素図柄４をなすカーペット３ａを、多数枚、廊下の長手方向に一列に並べ、細長い廊下に合わせた長矢印形状の指示図柄２を形成すれば良い。また、レイアウト変更などにより避難経路が変更された場合には、避難経路変更箇所のみタイルカーペット３を取り替えればよく、レイアウト変更に対する対応が容易である。図２に示したタイルカーペット３ａ，３ｂ，３ｃを製造すれば、様々な施設の間取りや避難経路に合わせた指示図柄２を形成可能であるので、タイルカーペット３を大量生産することができ、避難誘導用カーペット１を低コストで提供できる。
【００３０】
以上、実施形態に基づき本考案を説明したが、本考案は上述した実施形態に何ら限定されるものではなく、本考案の趣旨を逸脱しない範囲内で種々の改良変更が可能であることは容易に推察できるものである。
【００３１】
例えば、上記実施形態では、避難誘導用カーペット１は、刺繍によりパイル７，８が配列されたものであるとして説明した。しかしながら、織り、編み、接着など、他の手段によりパイル７，８が配列されたカーペットについても、本考案は適用可能である。
【００３２】
また、上記実施形態では、指示図柄２が、避難口の方向を指し示す矢印形状であるものとして説明したが、指示図柄２の具体的形態はこれに限られるものではなく、写真、文字、記号など、避難経路を指示することができるものであれば良い。
【００３３】
また、上記実施形態では、指示図柄２の領域に発光パイル８を配列することにより、指示図柄２を形成していたが、これとは逆に、指示図柄２の領域に通常のパイル７を配列し、指示図柄２以外の領域に発光パイル８を配列しても良い。
【００３４】
また、上記実施形態では、蓄光繊維に相当する発光パイル８は、蓄光顔料８ａを含有するバインダを繊維表面にコーティングすることにより、蓄光顔料８ａを付着させたものであったが、他の方法で蓄光繊維を得ても良い。例えば、ナイロンやポリエステル、アクリルなどの合成繊維で発光パイル８を構成する場合は、合成繊維を製造する過程において蓄光顔料８ａを添加する方法で、蓄光顔料８ａを含有（付着）させた蓄光繊維を得ても良い。
【００３５】
また、上記実施形態において、各タイルカーペット３は正方形であったが、タイルカーペット３の形状や大きさは、適宜変更可能である。また、避難誘導用カーペット１は、パイル７，８がループ状とされたカーペットの他、パイル先端がカットされたカットタイプのカーペット、あるいは、ループの短い平坦なテクスチャを持つフラットタイプのカーペットなどでもよく、繊維製品として構成される敷物であれば、本考案を適用可能である。
【符号の説明】
【００３６】
１              避難誘導用カーペット
２              指示図柄
３              タイルカーペット
４              要素図柄
７              通常のパイル（非蓄光繊維）
８              発光パイル（蓄光繊維）
８ａ            蓄光顔料
【図１】
0003154198.tif 000003
【図２】
0003154198.tif 000004